(57)【要約】      （修正有）【課題】電気部品の故障を抑えることができる施錠装置を提供する。【解決手段】電磁ソレノイド３０を備え、電気部品であるマイクロスイッチ６０を配置する本体の本体内部空間（部品配置室）には、マイクロスイッチ６０の上方に位置する第１入水口Ｅ１と、第１入水口Ｅ１の下方に位置する第１出水口Ｅ２と、第１入水口Ｅ１と第１出水口Ｅ２との間に位置する第１壁部８１とを配置し、電磁ソレノイド３０は、防滴性を有するとともに、第１入水口Ｅ１に浸入した水が第１出水口Ｅ２へ流れる第１流路Ｒ１の途中に配置し、電磁ソレノイド３０および第１壁部８１は、第１流路Ｒ１の一部を形成し、マイクロスイッチ６０は、第１流路Ｒ１から外れた位置に配置するように構成した。【選択図】図６
2019015090.tif 000002
【特許請求の範囲】
【請求項１】
ソレノイド本体に対して進退可能なプランジャを有する本体を備え、前記プランジャの進退によって扉の開閉を制御する電磁ソレノイドを備える施錠装置において、
前記本体は、電気部品を配置する部品配置室を有し、
前記本体の前記部品配置室には、前記電気部品の上方に位置する入水口と、前記入水口の下方に位置する出水口と、前記入水口と前記出水口との間に位置する壁部とを配置してあり、
前記電磁ソレノイドは、防滴性を有するとともに、前記入水口に浸入した水が前記出水口へ流れる流路の途中に配置してあり、
前記電磁ソレノイドおよび前記壁部は、前記流路の一部を形成するものであり、
前記電気部品は、前記流路から外れた位置に配置してあることを特徴とする施錠装置。
【請求項２】
前記本体は、前記扉が閉まるとき、前記扉に当接するダンパーを有し、
前記ダンパーは、前記本体の前記部品配置室の下方であって、前記流路の下方において前記出水口に隣接するように配置してある請求項１に記載の施錠装置。
【請求項３】
前記入水口、前記出水口、および前記流路は、前記本体の前記部品配置室の横方向の一方に配置してあり、
前記本体の前記部品配置室は、前記横方向の他方に、前記入水口の下方に位置する第２出水口と、縦方向において、前記入水口と前記第２出水口との間に位置する第２壁部とを有し、
前記第２壁部と前記第２出水口とによって、前記流路から分岐する分岐路が形成され、
前記第２壁部は前記電気部品の上方域に位置するとともに、前記壁部および前記第２壁部の一部は前記上方域の前記横方向の両側に位置し、前記電気部品は前記分岐路から外れた位置に配置してある請求項１または２に記載の施錠装置。
【請求項４】
前記本体は、前記部品配置室の下方に位置する底壁と、縦方向において、前記電気部品と前記底壁との間に位置するスペーサとを有する請求項１〜３のいずれかに記載の施錠装置。
【請求項５】
前記横方向において、前記出水口と前記第２出水口との間には、前記本体に浸入した水が前記部品配置室から出る補助出水口を配置してあり、
前記電気部品は、前記横方向において、前記補助出水口と前記第２出水口との間に配置してある請求項３に記載の施錠装置。
【請求項６】
前記本体は、前記電磁ソレノイドの導線および前記電気部品の導線を通す電線口と前記入水口と有し、横方向の一方に位置する側壁部を有し、
前記側壁部は、前記電磁ソレノイドに隣接するように配置してある請求項４に記載の施錠装置。
【請求項７】
前記本体は、ストライカに係合するラッチと、ラッチの回転を規制するラチェットとを有し、
前記本体の前記部品配置室は、前記第２出水口の上方であって、前記横方向の他方に位置する第２入水口を有するとともに、前記第２入水口に浸入した水が前記第２出水口へ流れる第２流路を有し、
前記第２入水口は、前記ストライカが進退する前記本体の溝であり、
前記電気部品は、前記第２流路から外れた位置に配置してある請求項３または５に記載の施錠装置。
【発明の詳細な説明】
【技術分野】
【０００１】
本発明は、ソレノイド本体に対して進退可能なプランジャを有する本体を備え、前記プランジャの進退によって扉の開閉を制御する電磁ソレノイドを備える施錠装置に関する。
【背景技術】
【０００２】
従来、例えば、ロッカーに使用し、ロッカー本体に対する扉の開閉を制御する施錠装置は公知である。
【０００３】
従来の施錠装置９０は、例えば、図８に示すように、電磁ソレノイド本体９１ａに対して進退可能なプランジャ９１ｂを有する電磁ソレノイド９１と、第１回転軸９２ｘを中心に旋回可能であって、かつ、プランジャ９１ｂの進退に応じて旋回するラチェット９２と、第２回転軸９３ｘを中心に旋回可能であって、かつラチェット９２に係合するラッチ９３と、ロッカー本体に対して扉が開かれるのを規制する規制状態であることを検知するマイクロスイッチ９４とを備える本体９５を有しているものがある。
【発明の概要】
【発明が解決しようとする課題】
【０００４】
しかしながら、上述した施錠装置９０を屋外のロッカーに使用した場合には、本体９５の上部の開口９６から雨水が浸入し、電気部品であるマイクロスイッチ９４が故障するおそれがあった。
【０００５】
本発明が課題とするところは、電気部品の故障を抑えることができる施錠装置を提供することにある。
【課題を解決するための手段】
【０００６】
前記課題を解決するために本発明が対象とするのは、ソレノイド本体に対して進退可能なプランジャを有する本体を備え、前記プランジャの進退によって扉の開閉を制御する電磁ソレノイドを備える施錠装置である。
【０００７】
この発明の特徴は、本体は、電気部品を配置する部品配置室を有し、本体の部品配置室には、電気部品の上方に位置する入水口と、入水口の下方に位置する出水口と、入水口と出水口との間に位置する壁部とを配置してあり、電磁ソレノイドは、防滴性を有するとともに、入水口に浸入した水が出水口へ流れる流路の途中に配置してあり、電磁ソレノイドおよび壁部は、流路の一部を形成するものであり、電気部品は、流路から外れた位置に配置してあること、である。
【発明の効果】
【０００８】
本発明に係る施錠装置によれば、本体の部品配置室には、電気部品の上方に位置する入水口と、入水口の下方に位置する出水口と、入水口と出水口との間に位置する壁部とを配置してあり、電磁ソレノイドは、防滴性を有するとともに、入水口に浸入した水が出水口へ流れる流路の途中に配置してあり、電磁ソレノイドおよび壁部は、流路の一部を形成するものであり、電気部品は流路から外れた位置に配置してあるため、電気部品に水がかかることを抑えることができ、これによって、電気部品が故障するのを抑えることができる。
【図面の簡単な説明】
【０００９】
図面は、本発明の特定の実施の形態を示し、発明の不可欠な構成ばかりでなく、選択的及び好ましい実施の形態を含む。
【図１】本発明に係る施錠装置の本体を底面側からみた分解斜視図。
【図２】本体を平面側からみた分解斜視図。
【図３】本体をロッカー本体に取り付けた状態を示す斜視図。
【図４】ストライカをロッカーの扉に取り付けた状態を示す斜視図。
【図５】ラッチとストライカとの非係合状態において、本体における本体内部空間を示す平面図。
【図６】本体内部空間における流路を示す説明図。
【図７】ラッチとストライカとの係合状態において、本体における本体内部空間を示す平面図。
【図８】従来の施錠装置を示す平面図。
【発明を実施するための形態】
【００１０】
添付の図面を参照し、この発明に係る施錠装置の詳細を説明すると、以下のとおりである。また、以下の実施形態は、本発明の欠くことのできない要件を含む他に、選択的に採用することのできる要件及び適宜に組み合わせることのできる要件を含んでいる。
【００１１】
図１は、この発明に係る施錠装置１０を底面側からみた分解斜視図であり、図２は、施錠装置１０を平面側からみた分解斜視図である。図１および図２における双頭矢印のＸ，Ｙ，Ｚは、施錠装置１０において、互いに交差（直交）する横方向Ｘと、縦方向Ｙと、厚さ方向Ｚとを示している。本実施形態では、横方向Ｘが前後方向に一致し、縦方向Ｙが上下方向に一致している。
【００１２】
施錠装置１０は、例えば、屋外に設置してあるロッカー１に使用してある。施錠装置１０は、例えば、図３および図４に示すように、ロッカー本体２に対して扉３が、図４中に双頭矢印Ｂで示す前後方向へ移動することによって、ロッカー本体２の開口８を開閉可能なロッカー１に使用するものであって、ロッカー本体２に取り付ける本体２０と、扉３に取り付けるストライカ７０とを有している。
【００１３】
ストライカ７０は、扉３にネジ７９によって取り付けてある。ストライカ７０は、ネジ７９の先端を挿入するネジ孔７１ａを有するストライカ本体７１と、ラッチ（ラッチレバー）５０の係合溝５４に係合する係合部７２とを有する。
【００１４】
本体２０は、図３に示すように、厚さ方向Ｚにおいて互いに対向する、一方の側板２ａと他方の側板２ｂとの間に位置する空間５に位置するように、他方の側板２ｂに固定した被取付板６にボルト９ａを介して取り付けてある。一方の側板２ａは、前後方向において、前方に位置する前方部分２ｃを有するとともに切欠４を有し、ロッカー本体２に対して扉３を開くことが規制された状態では、この切欠４に、図４に示すストライカ７０の係合部７２が位置することとなる。
【００１５】
本体２０は、図１および図２に示すように、ケース１１とカバー２１とを有し、ケース１１とカバー２１とによって筐体１８が画成され、筐体１８の内部に本体内部空間（部品配置室）１９を有している。本体２０は、筐体１８の横方向Ｘの寸法を２等分する中心線Ｐ−Ｐを有している（図６参照）。また、図５に示すように、コイル３１ａを有するソレノイド本体３１に対して進退可能なプランジャ３３を有する電磁ソレノイド３０と、プランジャ３３の進退に応じて旋回するラチェット（ラチェットレバー）４０の回転軸４１と、ラッチ（ラッチレバー）５０の回転軸５１と、マイクロスイッチ６０とを、本体２０の本体内部空間１９に配置してある。このような本体２０は、電磁ソレノイド３０と、ラチェット４０と、ラッチ５０と、マイクロスイッチ６０とを有している。
【００１６】
ケース１１は、例えば、合成樹脂材料で形成してあって、図１および図２に示すように、矩形状のケースベース部１２と、ケースベース部１２の周縁にそれぞれ位置して厚さ方向Ｚへ延びるケース天壁部１２ａと、ケース底壁部１２ｂと、ケース第１側壁部１２ｃと、ケース第２側壁部１２ｄとを有しているとともに、ケースベース部１２の下方に位置し、ダンパー２３を保持するダンパー保持部１３とを有している。ケース天壁部１２ａとケース底壁部１２ｂとは、縦方向Ｙにおいて互いに対向している。ケース第１側壁部１２ｃとケース第２側壁部１２ｄとは、横方向Ｘにおいて互いに対向している。
【００１７】
ケース１１は、ケースベース部１２を厚さ方向Ｚへ貫通する第１貫通孔１７ｄを、例えば、３つ有するとともにケースベース部１２を厚さ方向Ｚへ貫通する第２貫通孔１７ｅを、例えば３つ有している。
【００１８】
ケース１１は、前後方向の前方（横方向Ｘの一方の側）に、ケース第１切欠部１４を有している。ケース第１切欠部１４は、ケース第２側壁部１２ｄに位置する第１部分１４ａと、ケースベース部１２に位置する第２部分１４ｂとによって画成される。第１部分１４ａは、厚さ方向Ｚへ延び、縦方向Ｙにおいて、ケース第２側壁部１２ｄを分断している。第２部分１４ｂは、第１部分１４ａに繋がり、前方側から後方側へ向けて縦方向Ｙの寸法が徐々に小さくなるように配置してある。
【００１９】
ケース１１は、前後方向の後方（横方向Ｘの他方の側）に位置するケース第１側壁部１２ｃにおいて、上方に位置するケース第２切欠部１５と、下方に位置するケース第３切欠部１６とを有している。
【００２０】
ケース底壁部１２ｂは、本体内部空間１９と、ダンパー保持部１３のダンパー内部空間２３ａ（図６参照）とを仕切る隔壁である。ケース底壁部１２ｂは、本体内部空間１９とダンパー内部空間２３ａとを連通する第１開口１７ａ（第１出水口Ｅ２（図６参照））と、第２開口１７ｂ（第２出水口Ｅ３（図６参照））と、第３開口１７ｃ（補助出水口Ｅ４（図６参照））とを有している。換言すれば、本体２０の本体内部空間１９の下方に位置するケース底壁部１２ｂには、第１開口１７ａと第２開口１７ｂと第３開口１７ｃとを配置してある。
【００２１】
第２開口１７ｂは、最も前方側に配置してあり、第１開口１７ａは最も後方側に配置してあり、第３開口１７ｃは、横方向Ｘにおいて、第１開口１７ａと第２開口１７ｂとの間に配置してある。
【００２２】
ケース１１は、図６に示すように、第１壁部８１の下端８１ｂから第１出水口Ｅ２へ連続する第１ケースガイド壁部１９ａと、第２壁部８２の下端８２ｄから第２出水口Ｅ３へ連続する第２ケースガイド壁部１９ｂとを有している。
【００２３】
ダンパー保持部１３が有するダンパー内部空間２３ａは、ダンパー２３を配置するための空間であって、図１および図２に示すように、上方に位置するケース底壁部１２ｂと、ダンパー底壁部１３ｂと、ダンパー第１側壁部１３ｃと、ダンパー第２側壁部１３ｄとによって画成されている。
【００２４】
ダンパー底壁部１３ｂは、図６に示すように、横方向Ｘの中央に、ダンパー内部空間２３ａから外部へ通じるダンパー出水口１３ｇを有しているとともに、ダンパー底壁部１３ｂにおけるダンパー内部空間２３ａは平坦に形成してあり、かつダンパー保持部１３は、図１および図５に示すように、前方側に円形の前方開口１３ｅを配置してある一方、後方側には矩形の後方開口１３ｆを配置してある。このため、ダンパー内部空間２３ａに水が溜まるのを抑えることができる。また、ダンパー保持部１３の前方開口１３ｅからは、ダンパー先端部２３ｃが突出している。
【００２５】
ダンパー第１側壁部１３ｃの外面およびケースベース部１２の外面は、本体２０の厚さ方向Ｚにおける一方の側において連続する平坦な板状に一体的に形成してある。ケース底壁部１２ｂと、ダンパー底壁部１３ｂとは、縦方向Ｙにおいて互いに対向している。ダンパー第１側壁部１３ｃと、ダンパー第２側壁部１３ｄとは、厚さ方向Ｚにおいて互いに対向している。
【００２６】
ダンパー２３は、例えば、弾性を有する合成樹脂材料で形成してあり、ダンパー内部空間２３ａの内部に位置する円筒状のダンパー本体部２３ｂと、ダンパー内部空間２３ａの外部に位置するダンパー先端部２３ｃとを有している。なお、図１〜図４には、ケース１１のダンパー内部空間２３ａにダンパー２３を配置してある一方、図５〜図７では、ダンパー２３を取り外した状態を示してある。
【００２７】
ダンパー本体部２３ｂは、図６に示すように、筐体１８の本体内部空間１９の下方であって、第１流路Ｒ１および第２流路Ｒ２の下方において第１出水口Ｅ２および第２出水口Ｅ３に隣接するように配置してある。
【００２８】
ダンパー本体部２３ｂは、円筒状に形成してある一方、第１開口１７ａ、第２開口１７ｂ、第３開口１７ｃ、およびダンパー出水口１３ｇは、それぞれ矩形状に形成してあるため、図１および図２に示すように、第１開口１７ａ、第２開口１７ｂ、第３開口１７ｃ、およびダンパー出水口１３ｇのそれぞれからダンパー２３本体の一部が突出している。
【００２９】
ダンパー先端部２３ｃは、ケース第２側壁部１２ｄ（本体第２側壁部２０ｄ）および前方部分２ｃから突出するように配置してあり（図１および図３参照）、扉３が閉まるとき、扉３に当接する部分である。
【００３０】
カバー２１は、例えば、合成樹脂材料で形成してあって、図１および図２に示すように、矩形状のカバーベース部２２と、カバーベース部２２の周縁にそれぞれ位置して厚さ方向Ｚへ延びるカバー天壁部２２ａ、カバー第１側壁部２２ｃと、カバー第２側壁部２２ｄとを有している。カバー天壁部２２ａとケース底壁部１２ｂとは、縦方向Ｙにおいて互いに対向している。カバー第１側壁部２２ｃとカバー第２側壁部２２ｄとは、横方向Ｘにおいて互いに対向している。
【００３１】
カバー２１は、前後方向の前方にカバー第１切欠部２４を有している。カバー第１切欠部２４は、前後方向の前方に位置するカバー第２側壁部２２ｄに位置する第３部分２４ａと、カバーベース部２２に位置する第４部分２４ｂとによって画成される。第３部分２４ａは、厚さ方向Ｚへ延び、縦方向Ｙにおいて、カバー第２側壁部２２ｄを分断している。第４部分２４ｂは、第３部分２４ａに繋がり、前方側から後方側へ向けて縦方向Ｙの寸法が徐々に小さくなるように配置してある。
【００３２】
カバー２１は、前後方向の後方に位置するカバー第２側壁部２２ｄにおいて、上方に位置するカバー第２切欠部２５と、下方に位置するカバー第３切欠部２６とを有している。
【００３３】
カバー２１は、厚さ方向Ｚへ延びるスペーサ２９を下部に有している。スペーサ２９は、カバーベース部２２の下方の端縁から上方へ向けて延びるように形成してある。
【００３４】
カバー２１のスペーサ２９とカバー第１側壁部２２ｃとの間には、カバー第２切欠部２５が横方向Ｘへ延び、スペーサ２９とカバー第２側壁部２２ｄとの間には、カバー第４切欠部２７が位置している。
【００３５】
カバーベース部２２は、第１壁部８１の下端８１ｂ（図６参照）から第１出水口Ｅ２へ連続する第１カバーガイド壁部２７ａと、第２壁部８２の下端８２ｄ（図６参照）から第２出水口Ｅ３へ連続する第２カバーガイド壁部２７ｂとを有している。
【００３６】
カバーベース部２２は、図２に示すように、厚さ方向Ｚにおいて、ケースベース部１２の第１貫通孔１７ｄと対向する位置に、厚さ方向Ｚへ貫通する第３貫通孔２８ｃを、例えば、３つ有している。
【００３７】
カバーベース部２２は、厚さ方向Ｚにおいて、ケースベース部１２の第２貫通孔１７ｅと対向する位置に、ネジ孔２８ａを有する突出部２８ｂを有している。カバーベース部２２は、例えば、ネジ孔２８ａおよび突出部２８ｂを３つ有している。
【００３８】
ケース１１の第２貫通孔１７ｅに先端を通したネジ９ｂをカバー２１のネジ孔２８ａに螺合させることによって、ケース１１にカバー２１を固定し、筐体１８を画成する。筐体１８を画成した状態では、図６に示すように、ケース天壁部１２ａとカバー天壁部２２ａとによって本体天壁部２０ａが画成され、ケース第１側壁部１２ｃとカバー第１側壁部２２ｃとによって本体第１側壁部２０ｃが画成され、ケース第２側壁部１２ｄとカバー第２側壁部２２ｄとによって本体第２側壁部２０ｄが画成される。また、筐体１８を画成した状態では、ケース第１切欠部１４およびカバー第１切欠部２４によって、ストライカ７０の係合部７２が進退する溝３７が本体２０に画成され、ケース第２切欠部１５およびカバー第２切欠部２５によって、第１入水口Ｅ１が画成され、ケース第３切欠部１６およびカバー第３切欠部２６によって、電磁ソレノイド３０の導線３４ａおよびマイクロスイッチ６０の導線６１ａを通す導線口３８ｂが画成される。
【００３９】
また、筐体１８を画成した状態では、第１カバーガイド壁部２７ａと第１ケースガイド壁部１９ａとが厚さ方向Ｚにおいて対向し、第２カバーガイド壁部２７ｂと第２ケースガイド壁部１９ｂとが厚さ方向Ｚにおいて対向する。
【００４０】
厚さ方向Ｚにおいて、第１カバーガイド壁部２７ａと第１ケースガイド壁部１９ａとの間には、マイクロスイッチ６０の導線６１ａを通すための導線口（不図示）が画成され、第２カバーガイド壁部２７ｂと第２ケースガイド壁部１９ｂとの間には、ラッチ５０が旋回するためのラッチ旋回開口（不図示）が画成される。
【００４１】
図６に示すように、第１出水口Ｅ２、第２出水口Ｅ３、補助出水口Ｅ４、および導線口３８ｂの上方に、第１入水口Ｅ１、および第２入水口である溝３７を配置してある。
【００４２】
ケース１１とカバー２１とを組み立てた後、ボルト９ａの先端を、第１貫通孔１７ｄおよび第３貫通孔２８ｃに挿入した後、被取付板６に固定してあるナット（不図示）にボルト９ａを螺合して、本体２０を被取付板６に固定する。
【００４３】
電磁ソレノイド３０は、防滴性を有するものであって、図２および図５に示すように、自身の長手方向と、本体２０の縦方向Ｙとが一致するように配置してある。また、電磁ソレノイド３０は、導線を巻くことによって形成されたコイル３１ａと、コイル３１ａの内部に位置する不図示の固定鉄芯と、コイル３１ａの縦方向Ｙと横方向Ｘとを覆うフレーム３２とを有するソレノイド本体３１を備えている。さらに、電磁ソレノイド３０は、コイル３１ａに電圧を印加することによって磁界が発生したとき、固定鉄芯に引き寄せられることによってソレノイド本体３１に退行するプランジャ３３と、固定鉄芯に対してプランジャ３３の先端が突出するようにプランジャ３３を付勢する不図示の付勢部材（コイルバネ）とを有している。コイル３１ａを形成する導線３４ａの一端および他端は、電源３４に接続（図５および図６参照）してあり、電源３４によってコイル３１ａに電圧を印加することが可能である。また、プランジャ３３が進退する方向は、縦方向Ｙとなるように電磁ソレノイド３０を配置してある。プランジャ３３の先端には、厚さ方向Ｚへ延びるピン３３ａを固定してある。
【００４４】
電磁ソレノイド３０のフレーム３２と、ケース１１およびカバー２１との間には、図２に示すように、本体内部空間１９における電磁ソレノイド３０の位置を決定する位置決め部３９を配置してある。位置決め部３９は、フレーム３２に形成した複数のフレーム凸部３２ａと、それらフレーム凸部３２ａに係合し、カバー２１に形成されたカバー凹部２１ａ、およびケース１１に形成されたケース凹部１１ａとによって画成される。
【００４５】
フレーム３２と、ケース１１およびカバー２１との間には、位置決め部３９を配置してあるため、ドライバー等の工具を必要とすることなしに、ケース１１およびカバー２１にフレーム３２を取り付けることができる。
【００４６】
ラチェット４０は、図５に示すように、回転軸４１を中心に旋回可能な態様で筐体１８（本体２０）に取り付けてあって、回転軸４１に固定してある円形のベース部４２と、ベース部４２の径外方向へそれぞれ延びる第１端部４３および第２端部４４とを有している。第１端部４３は、プランジャ３３の先端に位置するピン３３ａに当接可能なように配置してある。第２端部４４の先端は、ラッチ５０の一方の係止部５３ａと係合可能な爪部４４ａを有している。
【００４７】
ラチェット４０は、さらに、第１端部４３と第２端部４４との間において、ベース部４２の径外方向へ突出するラチェット突出部４５と有している。
【００４８】
本体２０とラチェット４０との間には、図５中、ラチェット４０を時計回り方向へ旋回する第１トーションバネ（第１弾性部材）４９を配置してある。ラチェット４０が時計回り方向へ旋回すると、ラチェット突出部４５がカバー天壁部２２ａに当接し、ラチェット４０の時計回り方向への旋回が規制される。
【００４９】
ラッチ５０は、回転軸５１を中心として旋回可能な態様で筐体１８（本体２０）に取り付けてあって、回転軸５１に固定してある円形のベース部５２と、ベース部５２から径外方向へ延びる一対の係止部５３ａ，５３ｂと、回転軸５１の軸心回り方向において、一対の係止部５３ａ，５３ｂの間に位置する係合溝５４と、回転軸５１の軸心回り方向において、係止部５３ａ，５３ｂの反対側に位置して、径外方向へ突出するラッチ突出部５５を有している。一対の係止部５３ａ，５３ｂにおいて、一方の係止部５３ａの径外方向への長さ寸法が、他方の係止部５３ｂの径外方向への長さ寸法よりも長く、係合溝５４にはストライカ７０の係合部７２が進入可能であり、係合溝５４に係合部７２が進入した状態では、ラッチ５０とストライカ７０とが係合した状態となり、本体２０に対してストライカ７０の移動が規制されるとともにロッカー本体２に対して扉３の移動が規制されることとなる。
【００５０】
本体２０とラッチ５０との間には、図５中、ラッチ５０を時計回り方向へ旋回する第２トーションバネ（第２弾性部材）５９を配置してある。ラッチ５０が時計回り方向へ旋回すると、一方の係止部５３ａの先端がカバー第２側壁部２２ｄに当接し、ラッチ５０の時計回り方向への旋回が規制される。
【００５１】
ラッチ突出部５５は、ラッチ５０とストライカ７０との係合状態では、図７に示すように、マイクロスイッチ６０のスイッチ６５を押圧する一方、ラッチ５０とストライカ７０との係合状態では、図５に示すように、スイッチ６５を押圧することがない。
【００５２】
マイクロスイッチ６０は、ラッチ５０とストライカ７０とが係合状態にあるときのみ、検出信号を制御部６１に送信するものであって、スイッチ本体６２と、スイッチ本体６２に弾性変形が可能なように取付部６３を介して取り付けられた変形部６４と、変形部６４が変形した状態にあるときのみ押し下げられるスイッチ６５とを有している。
【００５３】
図５において、筐体１８（本体２０）の溝３７にストライカ７０の係合部７２（図４参照）が進入すると、係合部７２がラッチ５０の一方の係止部５３ａに当接し、ラッチ５０が図５中、反時計回りに旋回するとともに、係合部７２がラッチ５０の係合溝５４に進入し、図７に示すように、一方の係止部５３ａと他方の係止部５３ｂとの間に位置する係合溝５４に係合部７２が位置し、かつラチェット４０の爪部４４ａとラッチ５０の一方の係止部５３ａとが係合すると、ラッチ５０の係止部５３ａ，５３ｂと、ストライカ７０の係合部７２とが係合した状態（施錠状態）となり、ストライカ７０の移動が規制される。この施錠状態では、ロッカー本体２に対して扉３が開かれるのが規制される。さらに、施錠状態では、ラッチ５０の一方の係止部５３ａとラチェット４０の第２端部４４の爪部４４ａとが係合しているため、図７におけるラッチ５０の時計回り方向の旋回が規制される。また、ラッチ突出部５５がマイクロスイッチ６０の変形部６４に当接して、変形部６４を変形させるとともに、変形部６４によってスイッチ６５が押し下げられ、スイッチ本体６２から、ラッチ５０が施錠位置に旋回した状態である旨の信号が制御部６１に送信される。
【００５４】
その後、制御部６１の指令に基づき、電源３４から電圧が電磁ソレノイド３０に印加されると、ソレノイド本体３１に対してプランジャ３３が退行し、このプランジャ３３の退行によってラチェット４０が図７中、反時計回りに旋回する。そのようにラチェット４０が旋回すると、ラッチ５０の一方の係止部５３ａとラチェット４０の一方の端部の爪部４４ａとの係合が解除され、第２トーションバネ５９の付勢力によって、図７中、ラッチ５０が時計回り方向へ旋回し、このラッチ５０の旋回によって、図５に示すように、ラッチ５０の係止部５３ａ，５３ｂと、ストライカ７０の係合部７２との係合が解除され、係合部７２は、ラッチ５０の係合溝５４および本体２０の溝３７から退行し、施錠装置１０は、扉３が開かれるのを許容する解錠状態となる。
【００５５】
その後、制御部６１の指令に基づき、電磁ソレノイド３０に対する電源３４からの電圧の印加が解除されると、電磁ソレノイド３０の不図示の付勢部材の付勢力によって、ソレノイド本体３１に対してプランジャ３３が進出する。
【００５６】
本体２０は、オプションとして、図５に示すように、強制解除レバー８５を備えている。強制解除レバー８５は、本体内部空間１９に位置する回転軸８６を中心に旋回可能であって、回転軸８６から径外方向へそれぞれ延びる第１端部８７および第２端部８８を有している。
【００５７】
第１端部８７の一方の端に位置する把持部８７ａは、第１入水口Ｅ１を通じて本体内部空間１９の外部に出ている。第２端部８８は、電磁ソレノイド３０のプランジャ３３の先端に固定してあるピン３３ａに当接可能なように強制解除レバー８５を配置してある。
【００５８】
使用者が把持部８７ａを持ち、回転軸８６を中心として強制解除レバー８５を、図５中、時計回り方向へ旋回させると、プランジャ３３の先端を退行させるとともに、ラチェット４０を図５中、反時計回りに旋回させることができ、ラチェット４０とラッチ５０との係合、およびラッチ５０とストライカ７０との係合を強制的に解除することができる。
【００５９】
この施錠装置１０では、強制解除レバー８５の把持部８７ａが通過する開口と、第１入水口Ｅ１とを共通にするため、本体内部空間１９の外部と内部とが通じる開口の数を減らして本体内部空間１９に水が入るのを抑えることができる。
【００６０】
本体２０は、本体内部空間１９において、ラチェット４０と、ラッチ５０と、電磁ソレノイド３０と、マイクロスイッチ６０とによって囲まれる空間に、ガイド部８０を有している。
【００６１】
ガイド部８０は、本体内部空間１９の厚さ方向Ｚにおいて、ケース１１とカバー２１との間を連続するものであって、第１壁部（壁部）８１と、第２壁部８２と、第３壁部８３とを有し、例えば、カバー２１に配置してある。
【００６２】
第１壁部８１は、縦方向Ｙへ延びるように形成してあって、電磁ソレノイド３０に隣接するように配置してある。また、第１壁部８１は、縦方向Ｙにおいて、第１入水口Ｅ１と第１出水口Ｅ２との間に配置してある。
【００６３】
第２壁部８２は、縦方向Ｙにおいて、第１入水口Ｅ１と溝３７との間に配置してある。第２壁部８２は、第１壁部８１の上端８１ａを始点として、横方向Ｘへ延びた後、縦方向Ｙおよび横方向Ｘに対して傾斜する態様で延びるように形成してあって、ラチェット４０の下方域であるとともに、マイクロスイッチ６０の上方域に配置してある。より詳細に説明すると、第２壁部８２は、横方向Ｘへ直線状に延びる第１部位８２ａと、第１部位８２ａの端部から下方へ延びる第２部位８２ｂと、第２部位８２ｂの下端から、横方向Ｘおよび縦方向Ｙに対して傾斜するように直線状に延びる第３部位８２ｃとを有している。第２壁部８２の横方向の長さ寸法Ｌ１（図５参照）は、マイクロスイッチ６０の端子を含めた横方向の長さ寸法Ｌ２（図５参照）よりも大きく、マイクロスイッチ６０の上方域に第２壁部８２が位置している。第１壁部８１、ならびに第２壁部８２，第３部位８２ｃは、上方域の横方向Ｘの両側に位置している。
【００６４】
第３壁部８３は、第１壁部８１の下端８１ｂと、第２壁部８２の下端８２ｄとを連続するように形成してある。
【００６５】
本体２０は、第１入水口Ｅ１と第１出水口Ｅ２との間において、電磁ソレノイド３０のフレーム３２と、第１壁部８１と、第１ケースガイド壁部１９ａと、第１カバーガイド壁部２７ａとによって、第１入水口Ｅ１から第１出水口Ｅ２へ水が流れる第１流路Ｒ１が形成される。このため、第１入水口Ｅ１から本体２０の本体内部空間１９に浸入した水は、電磁ソレノイド３０のフレーム３２に沿って移動した後、ガイド部８０の第１壁部８１に沿って上方から下方に移動した後、第１ケースガイド壁部１９ａおよび第１カバーガイド壁部２７ａに沿って上方から下方に移動し、第１出水口Ｅ２を通して本体内部空間１９から排出される。
【００６６】
第１入水口Ｅ１、第１出水口Ｅ２、および第１流路Ｒ１は、本体２０の本体内部空間１９の横方向Ｘの一方側（前後方向における後方側）に配置してある。なお、明細書において、横方向Ｘの一方側、および他方側とは、筐体１８の中心線を基準とし、中心線よりも横方向Ｘの一方側または他方側に位置していることをいう。
【００６７】
また、本体２０は、第１流路Ｒ１の途中において、第１流路Ｒ１から分岐する分岐流路Ｒ３を備えている。より具体的には、本体２０は、第１入水口Ｅ１と第２出水口Ｅ３との間において、第１壁部８１の上端８１ａから、第２壁部８２と、第２ケースガイド壁部１９ｂと、第２カバーガイド壁部２７ｂとによって、第１入水口Ｅ１から第２出水口Ｅ３へ水が流れる分岐流路Ｒ３が形成される。このため、第１入水口Ｅ１から本体２０の本体内部空間１９に浸入した水は、電磁ソレノイド３０のフレーム３２の上端に沿って移動した後、ガイド部８０の第２壁部８２に沿って横方向Ｘへ移動し、その後、第２ケースガイド壁部１９ｂおよび第２カバーガイド壁部２７ｂに沿って上方から下方に移動し、第２出水口Ｅ３を通して本体内部空間１９から排出される。
【００６８】
また、本体２０は、第２入水口である溝３７と第２出水口Ｅ３との間において、本体第２側壁部２０ｄと、ケース底壁部１２ｂとによって、溝３７から第２出水口Ｅ３へ水が流れる第２流路Ｒ２が形成される。このため、溝３７から本体２０の本体内部空間１９に浸入した水は、他方の側壁（本体第２側壁部２０ｄ）およびケース底壁部１２ｂに沿って移動した後、第２出水口Ｅ３を通して本体内部空間１９から排出される。
【００６９】
第２入水口である溝３７、第２出水口Ｅ３は、本体２０の本体内部空間１９の横方向Ｘの他方側（前後方向における前方側）に配置してある。
【００７０】
ケース底壁部１２ｂは、横方向Ｘにおいて、第１出水口Ｅ２と第２出水口Ｅ３との間に、補助出水口Ｅ４を有しているため、第１入水口Ｅ１から本体内部空間１９へ浸入した水の一部は、補助出水口Ｅ４から本体内部空間１９の外部へ排出される。
【００７１】
その後、第１出水口Ｅ２、第２出水口Ｅ３、および補助出水口Ｅ４を通じてダンパー内部空間２３ａに浸入した水は、円筒状のダンパー本体部２３ｂの周面に沿って移動し、ダンパー出水口１３ｇ、前方開口１３ｅ、および後方開口１３ｆを通じてダンパー内部空間２３ａから外部へ排出される。
【００７２】
この施錠装置１０によれば、本体２０の本体内部空間１９には、マイクロスイッチ６０の上方に位置する第１入水口Ｅ１と、第１入水口Ｅ１の下方に位置する第１出水口Ｅ２と、第１入水口Ｅ１と第１出水口Ｅ２との間に位置する第１壁部８１とを配置してあり、電磁ソレノイド３０は、防滴性を有するとともに、第１入水口Ｅ１に浸入した水が第１出水口Ｅ２へ流れる第１流路Ｒ１の途中に配置してあり、電磁ソレノイド３０および第１壁部８１は、第１流路Ｒ１の一部を形成するものであり、マイクロスイッチ６０は第１流路Ｒ１から外れた位置に配置してあるため、マイクロスイッチ６０に水がかかることを抑えることができ、これによって、マイクロスイッチ６０が故障するのを抑えることができる。
【００７３】
本体２０は、扉３が閉まるとき、扉３に当接するダンパー２３を有するため、ダンパー２３に扉３が当接すると、扉３の速度が減少して音が小さくなる。また、ダンパー２３は、本体２０の本体内部空間１９の下方であって、第１流路Ｒ１の下方において第１出水口Ｅ２に隣接するように配置してあるため、ダンパー内部空間２３ａから、ダンパー２３を伝って前方開口１３ｅ、後方開口１３ｆ、およびダンパー出水口１３ｇから水が外部へ排出され、これにより、本体内部空間１９の水捌けが向上する。
【００７４】
さらに、第２壁部８２の一部がマイクロスイッチ６０の上方域に位置するとともに、第１壁部８１および第２壁部８２の一部が上方域の横方向Ｘの両側に位置し、かつ、第２壁部８２と第２出水口Ｅ３とによって流路から分岐する分岐流路Ｒ３が形成されるため、本体内部空間１９に水が溜まるのを防止することができるとともに、マイクロスイッチ６０が分岐流路Ｒ３から外れた位置に配置されるため、マイクロスイッチ６０に水がかかるのを抑えてマイクロスイッチ６０が故障するのを抑えることができる。
【００７５】
加えて、本体２０は、本体内部空間１９の下方に位置する底壁（ケース底壁部１２ｂ）と、縦方向Ｙにおいて、マイクロスイッチ６０とケース底壁部１２ｂとの間に位置するスペーサ２９とを有するため、マイクロスイッチ６０に水がかかることを抑えてマイクロスイッチ６０が故障するのを抑えることができる。
【００７６】
さらに、マイクロスイッチ６０は、横方向Ｘにおいて、補助出水口Ｅ４と第２出水口Ｅ３との間に配置してあるため、マイクロスイッチ６０に水がかかることを抑えてマイクロスイッチ６０が故障するのを抑えることができる。
【００７７】
加えて、導線口Ｅ５から水を出すことによって、本体内部空間１９に水が溜まるのを防止し、マイクロスイッチ６０に水がかかることを抑えてマイクロスイッチ６０が故障するのを抑えることができる。
【００７８】
さらに、ストライカ７０が進退する溝３７が本体２０の第２入水口であり、第２入水口である溝３７と第２出水口Ｅ３とによって第２流路Ｒ２が形成され、マイクロスイッチ６０は、第２流路Ｒ２から外れた位置に配置してあるため、マイクロスイッチ６０に水がかかることを抑えてマイクロスイッチ６０が故障するのを抑えることができる。
【００７９】
加えて、筐体１８には、電磁ソレノイド３０に隣接する一方の側壁（本体第１側壁部２０ｃ）に、第１入水口Ｅ１および導線口３８ｂが配置されているため、電磁ソレノイド３０に対する電圧の印加と、電圧の印加の解除とを繰り返すことによって電磁ソレノイド３０が発熱しても、電磁ソレノイド３０の発熱を第１入水口Ｅ１および導線口３８ｂからその発熱を逃がすことができる。
【００８０】
なお、上記した施錠装置１０では、ロッカー本体２に、施錠装置１０の本体２０を取り付ける一方、扉３にストライカ７０を取り付けるもので説明した。しかし、この発明は、ロッカー本体２にストライカ７０を取り付ける一方、扉３に施錠装置１０の本体２０を取り付けてもよい。
【００８１】
ダンパー２３の周面と、ダンパー保持部１３を構成する、ケース底壁部１２ｂと、ダンパー底壁部１３ｂと、ダンパー第１側壁部１３ｃと、ダンパー第２側壁部１３ｄとの間には、隙間を有するように、ダンパー保持部１３とダンパー２３とを配置させ、水捌けを向上させてもよい。それぞれが矩形状である第１開口１７ａ、第２開口１７ｂ、第３開口１７ｃ、およびダンパー出水口１３ｇの一部または全部に凹部を形成し、その凹部を通して水が流れれば、本体内部空間１９およびダンパー内部空間２３ａの水捌けを向上することができる。
【００８２】
なお、上述した実施形態には、ケース１１およびカバー２１の２つの部品を組み立てることによって筐体１８が画成される施錠装置１０を説明した。しかし、本発明はそれに限られず、１つの部品によって筐体１８を画成してもよいし、３つ以上の部品を組み立てることによって筐体１８を画成してもよい。
【００８３】
さらに、上述した実施形態では、ラチェット４０と本体２０との間に位置し、ラチェット４０を図５中、時計回り方向へ旋回するように付勢する第１弾性部材として第１トーションバネ４９を用いる施錠装置１０を説明した。しかし、この発明はそれに限られず、第１トーションバネ４９の代わりに他の第１弾性部材を用いてもよい。
【００８４】
また、上述した実施形態では、ラッチ５０と本体２０との間に位置し、ラッチ５０を図５中、時計回り方向へ旋回するように付勢する第２弾性部材として第２トーションバネ５９を用いる施錠装置１０を説明した。しかし、この発明はそれに限られず、第２トーションバネ５９の代わりに他の第２弾性部材を用いてもよい。
【００８５】
さらに、上述した実施形態では、ガイド部８０をカバー２１に配置する例で説明した。しかし、この発明はそれに限られず、ガイド部８０をケース１１に配置してもよい。
【００８６】
また、上述した実施形態では、電気部品としてマイクロスイッチ６０を使用する例で説明した。しかし、この発明はそれに限られず、電気部品として他の部品を使用してもよい。
【００８７】
さらに、上述した実施形態では、横方向Ｘおよび縦方向Ｙにおいて、ケース１１のケース凹部１１ａの位置と、カバー２１のカバー凹部２１ａの位置とが同一である施錠装置１０を説明した。しかし、この発明はそれに限られず、横方向Ｘおよび縦方向Ｙにおいて、ケース１１のケース凹部１１ａの位置と、カバー２１のカバー凹部２１ａの位置とが異なってもよい。この場合、フレーム凸部３２ａの位置を、ケース１１に対向する側とカバー２１に対向する側とで異なるように配置しなければならないが、電磁ソレノイド３０の表裏を間違えることを防止することができる。
【００８８】
施錠装置を構成する部材には、特に明記されていない限りにおいて、本明細書に記載されている材料のほかに、この種の分野において通常用いられている公知の材料を制限なく用いることができる。また、本明細書において使用されている「第１」、「第２」および「第３」等の用語は、同様の要素、位置等を単に区別するために用いてある。
【００８９】
これまでに説明した本発明は、少なくとも以下のように整理することができる。ソレノイド本体３１に対して進退可能なプランジャ３３を有する本体２０を備え、プランジャ３３の進退によって扉３の開閉を制御する電磁ソレノイド３０を備える施錠装置１０において、本体２０は、マイクロスイッチ６０を配置する本体内部空間１９を有し、本体内部空間１９には、マイクロスイッチ６０の上方に位置する第１入水口Ｅ１と、第１入水口Ｅ１の下方に位置する第１出水口Ｅ２と、第１入水口Ｅ１と第１出水口Ｅ２との間に位置する第１壁部８１とを配置してあり、電磁ソレノイド３０は、防滴性を有するとともに、第１入水口Ｅ１に浸入した水が第１出水口Ｅ２へ流れる第１流路Ｒ１の途中に配置してあり、電磁ソレノイド３０および第１壁部は、第１流路Ｒ１の一部を形成するものであり、マイクロスイッチ６０は、第１流路Ｒ１から外れた位置に配置してあることを特徴とする。
【００９０】
また、本発明には、少なくとも以下の実施態様がある。
（１）本体２０は、扉３が閉まるとき、扉３に当接するダンパー２３を有し、ダンパー２３は、本体内部空間１９の下方であって、第１流路Ｒ１の下方において第１出水口Ｅ２に隣接するように配置してある。
（２）第１入水口Ｅ１、第１出水口Ｅ２、および第１流路Ｒ１は、本体内部空間１９の横方向Ｘの一方に配置してあり、本体２０は、横方向Ｘの他方に、第１入水口の下方に位置する第２出水口Ｅ３と、縦方向Ｙにおいて、第１入水口Ｅ１と第２出水口Ｅ３との間に位置する第２壁部８２とを有し、第２壁部８２と第２出水口Ｅ３とによって、第１流路Ｒ１から分岐する分岐流路Ｒ３が形成され、第２壁部８２はマイクロスイッチ６０の上方域に位置するとともに、第１壁部８１および第２壁部８２の一部は上方域の横方向Ｘの両側に位置し、マイクロスイッチ６０は分岐流路Ｒ３から外れた位置に配置してある。
（３）本体は、本体内部空間１９の下方に位置するケース底壁部１２ｂ（底壁）と、縦方向Ｙにおいて、マイクロスイッチ６０とケース底壁部（底壁）１２ｂとの間に位置するスペーサ２９とを有する。
（４）横方向Ｘにおいて、第１出水口Ｅ２と第２出水口Ｅ３との間には、本体２０に浸入した水が本体内部空間１９から出る補助出水口Ｅ４を配置してあり、マイクロスイッチ６０は、横方向Ｘにおいて、補助出水口Ｅ４と第２出水口Ｅ３との間に配置してある。
（５）本体２０は、電磁ソレノイド３０の導線３４ａおよびマイクロスイッチ６０の導線６１ａを通す導線口Ｅ５と第１入水口Ｅ１と有し、横方向Ｘの一方に位置する本体第１側壁部（側壁部）２０ｃを有し、本体第１側壁部（側壁部）２０ｃは、電磁ソレノイド３０に隣接するように配置してある。
（６）本体２０は、ストライカ７０に係合するラッチ５０と、ラッチ５０の回転を規制するラチェット４０とを有し、本体内部空間１９は、第２出水口Ｅ３の上方であって、横方向Ｘの他方に位置する第２入水口を有するとともに、第２入水口に浸入した水が第２出水口Ｅ３へ流れる第２流路Ｒ２を有し、第２入水口は、ストライカ７０が進退する本体２０の溝３７であり、マイクロスイッチ６０は、第２流路Ｒ２から外れた位置に配置してある。
【符号の説明】
【００９１】
３      扉
１０    施錠装置
２０    本体
１１    ケース
１２ｂ  ケース底壁部（底壁）
１９    本体内部空間（部品配置室）
２０    本体
２０ｃ  本体第１側壁部（側壁部）
２１    カバー
２３    ダンパー
２９    スペーサ
３０    電磁ソレノイド
３１    ソレノイド本体
３３    プランジャ
３４ａ  導線
３７    溝（第２入水口）
４０    ラチェット
５０    ラッチ
６０    マイクロスイッチ（電気部品）
６１ａ  導線
７０    ストライカ
８１    第１壁部（壁部）
８２    第２壁部
Ｅ１    第１入水口（入水口）
Ｅ２    第１出水口（出水口）
Ｅ３    第２出水口
Ｅ４    補助出水口
Ｅ５    導線口
Ｒ１    第１流路（流路）
Ｒ２    第２流路
Ｒ３    分岐流路
Ｘ      横方向
Ｙ      縦方向
Ｚ      厚さ方向
【図１】
2019015090.tif 000003
【図２】
2019015090.tif 000004
【図３】
2019015090.tif 000005
【図４】
2019015090.tif 000006
【図５】
2019015090.tif 000007
【図６】
2019015090.tif 000008
【図７】
2019015090.tif 000009
【図８】
2019015090.tif 000010